(57)【特許請求の範囲】
【請求項１】
釣竿にスピニングリールを装着するためのスピニングリール用リールシートにおいて、
スピニングリールの脚部の装着箇所より前方であって、かつ、スピニングリールの取付側に、前方に湾曲形成したトリガーを突設したことを特徴とするスピニングリール用リールシート。
【請求項２】
中空部を有して釣竿の把持部に挿通して密接するリールシート本体と、該リールシート本体に突設されたトリガーと、トリガーの基部に穿設された挿入溝と、リールシート本体の後端面に当接して釣竿に挿通して密接させ、外周面に螺子溝が刻設されたパイプシートと、パイプシートの外周面に摺動自在に挿通され、前記挿入溝に対面する凹部を有するフードナットと、パイプシートの外周面に刻設された螺子溝に螺合してフードナットを摺動自在に操作可能な操作環とからなり、
スピニングリールの脚部の装着箇所より前方であって、かつ、スピニングリールの取付側に、前方に湾曲形成したトリガーを突設したことを特徴とするスピニングリール用リールシート。
【請求項３】
スピニングリールの脚部に直交して左右方向に延設された取付具を挿入溝と凹部に挿通し、操作環を回動させてフードナットを挿入溝に向けて摺動させることにより、スピニングリールを装着する請求項２記載のスピニングリール用リールシート。
【請求項４】
トリガーを突設して釣竿に挿通して密接するリールシート本体と、リールシート本体の後端面に当接して釣竿に挿通して密接するパイプシートと、パイプシートの外周面に摺動自在に挿通されたフードナットと、フードナットを摺動自在に操作可能な操作環とからなり、
スピニングリールの脚部をリールシート本体とフードナットによって固定した状態において、スピニングリールの脚部より前方であって、かつ、スピニングリールの取付側に、前方に湾曲形成したトリガーをリールシート本体に突設したことを特徴とするスピニングリール用リールシート。
【請求項５】
リールシート本体の外周面に滑り止め用のグリップ材を巻装した請求項２，３又は４記載のスピニングリール用リールシート。
【請求項６】
指を係止可能にトリガーを形成した請求項１，２，３，４又は５記載のスピニングリール用リールシート。
【請求項７】
スピニングリールの装着時において、スピニングリールの脚部とトリガーの２箇所に釣人が指を係止可能な請求項１，２，３，４，５又は６記載のスピニングリール用リールシート。
【発明の詳細な説明】
【技術分野】
【０００１】
本発明は、スピニングリールを釣竿の把持部に装着するためのスピニングリール用リールシートに関し、釣竿の操作性を向上させるとともに、釣竿を支持する際の手首や腕への負担を軽減して長時間安定して保持できるようにしたものである。
【背景技術】
【０００２】
スピニングリールは、釣糸を巻回したスプールを固定した状態で、スプールの周りのベールを回転させることによって、スプールから釣糸を繰り出し、或いは巻き取るものである。スプールは縦軸に固定されており、ハンドルを操作することによってベールが回転し、スプールから釣糸がスパイラル状に繰り出される。このスピニングリールは、スプールが回転しないため抵抗が少なく、餌やルアーが装着された仕掛けを遠くに投げるのに適しており、海のルアーフィッシングや投げ釣り、防波堤の釣り等において広く使用されている。
【０００３】
一方、ベイトリールは、釣糸を巻回したスプールそのものを回転させることによって、スプールから釣糸を繰り出し、或いは巻き取るものである。ハンドルからスプール部分が横一直線に並んでおり、ハンドルを操作することによってスプールそのものが回転し、釣糸が真っ直ぐに繰り出される。このベイトリールはスプールが回転するため、釣糸に放出抵抗がかかるが、力を入れて握りやすく、仕掛けの操作がダイレクトに伝わりやすいので、仕掛けを大きく動かしたり、大型漁とのやりとりなど力を必要とする際に使用されている。
【０００４】
スピニングリールとベイトリールは、それぞれ前記したように特徴を異にしているが、更に構造上の理由から、両者は釣竿に対する装着構造において顕著な差異を有する。即ち、スピニングリールは、リールシートを介して釣竿の把持部の下側に装着されるのに対して、ベイトリールはリールシートを介して釣竿の把持部の上側に装着される。
【０００５】
使用に際しては、スピニングリールは、親指を釣竿の把持部の上に位置させ、把持部の下側に装着されたスピニングリールの脚部を中指と薬指の間、或いは薬指と小指の間に位置するように把持部を握って操作する。一方、ベイトリールの場合は、把持部の上側に装着されたベイトリールを親指で包み込むように握り、他の指で把持部の下側を握る。
【０００６】
ベイトリールは把持部の上側に装着されており、スピニングリールのように指で挟み込む脚部がなく安定性に欠け操作が不安定となるため、リールシートの下側、即ちベイトリールの取付側と反対側に中指と薬指の間、或いは薬指と小指の間に挟み込むためのトリガーを突設して操作上の不安定を解消するための手段が提供されている（特許文献１）。
【０００７】
スピニングリールはリールシートの上側、即ちスピニングリールの取付側と反対側には親指が位置してリールシートに押圧することができるので、トリガーは突設されていない。また、スピニングリールの取付側にはスピニングリールの脚部が存在し、この脚部を把持することができるため、取付側にもトリガーは突設されていない。そこで、スピニングリール用リールシートにおいては、トリガーの必要性の認識はなく、専ら使い勝手をよくするために可撓性を高めるグリップ材等に関する改良手段が提供されている（特許文献２）。
【先行技術文献】
【特許文献】
【０００８】
【特許文献１】特開２００６−３３３７２６号
【特許文献２】特許第３９６９５４０号
【発明の概要】
【発明が解決しようとする課題】
【０００９】
近時、釣りの人気が高まり、従来からの投げ釣りやルアーフィッシングに加えて、釣りのジャンルが多種多様に広がってきた。特に、仕掛けを常に動かし続けるエギングやジギングなどのアクティブな釣りの人気が高まっている。また、既存の釣りにおいても、より積極的に釣果を挙げるために釣りの技法の改良や新たな試みが行われている。そのため、スピニングリールを使用した釣りにおいても、より正確で効果的な釣竿の揺動操作や、より微妙な釣竿の操作が求められている。また、釣竿をよりしっかりと握ることができるとともに、釣糸を保持する際の手首や腕への負担の軽減も求められている。
【００１０】
しかしながら、従来のスピニングリール用リールシートは、スピニングリールの取付側においては前記したようにスピニングリールの脚部を中指と薬指の間、或いは薬指と小指の間に挟み込む１点で支持する構成である。そのため、近時の釣りに要求されている高いレベルで釣竿の操作性を正確、かつ、容易に向上させたり、長時間安定して保持することが困難であった。即ち、これらの近時の課題に対しては特許文献２に示すような従来のスピニングリール用リールシートは何ら認識されておらず、そのための解決手段は提供されていない。更に激しいアクションで手首や腕を負傷する可能性もあり、筋肉の負担も大きかった。
【００１１】
また、ベイトリール用リールシートにおいて採用されているトリガーは前記したようにベイトリールの取付側と反対側に、しかもベイトリールの装着位置よりも後方に突設しているものであり、スピニングリール用リールシートに採用することができず、仮に採用したとしても操作性の向上や安定した保持に寄与することができないものであった。
【００１２】
そこで、本発明は釣竿の操作性を向上させるとともに、釣竿を支持する際の手首や腕への負担を軽減して長時間安定して保持できるようにすることによって、スピニングリールを使用した釣りの可能性を高めることができるスピニングリール用リールシートを提供することを目的としている。
【課題を解決するための手段】
【００１３】
本発明はその目的を達成するために、釣竿にスピニングリールを装着するためのスピニングリール用リールシートにおいて、スピニングリールの脚部の装着箇所より前方であって、かつ、スピニングリールの取付側に、前方に湾曲形成したトリガーを突設したスピニングリール用リールシートを基本として提供する。
【００１４】
また、中空部を有して釣竿の把持部に挿通して密接するリールシート本体と、該リールシート本体に突設されたトリガーと、トリガーの基部に穿設された挿入溝と、リールシート本体の後端面に当接して釣竿に挿通して密接させ、外周面に螺子溝が刻設されたパイプシートと、パイプシートの外周面に摺動自在に挿通され、前記挿入溝に対面する凹部を有するフードナットと、パイプシートの外周面に刻設された螺子溝に螺合してフードナットを摺動自在に操作可能な操作環とからなり、スピニングリールの脚部の装着箇所より前方であって、かつ、スピニングリールの取付側に、前方に湾曲形成したトリガーを突設したスピニングリール用リールシートを提供し、スピニングリールの脚部に直交して左右方向に延設された取付具を挿入溝と凹部に挿通し、操作環を回動させてフードナットを挿入溝に向けて摺動させることにより、スピニングリールを装着する。
【００１５】
更に、トリガーを突設して釣竿に挿通して密接するリールシート本体と、リールシート本体の後端面に当接して釣竿に挿通して密接するパイプシートと、パイプシートの外周面に摺動自在に挿通されたフードナットと、フードナットを摺動自在に操作可能な操作環とからなり、スピニングリールの脚部をリールシート本体とフードナットによって固定した状態において、スピニングリールの脚部より前方であって、かつ、スピニングリールの取付側に、前方に湾曲形成したトリガーをリールシート本体に突設したスピニングリール用リールシートを提供する。そして、リールシート本体の外周面に滑り止め用のグリップ材を巻装する。更に、指を係止可能にトリガーを形成し、スピニングリールの装着時において、スピニングリールの脚部とトリガーの２箇所に釣人が指を係止可能な構成とする。
【発明の効果】
【００１６】
上記構成の本発明によれば、スピニングリールの操作時において、スピニングリールの脚部とトリガーの２箇所に釣人が指を掛けて、釣竿を操作することができる。特にスピニングリールの前方においてトリガーに指を掛けることで、しっかりと釣竿を保持することができ、釣竿の操作に力を入れやすく最適なアクションを実現することができる。よって、魚をヒットした場合等における釣竿の揺動操作を正確、かつ、容易に行うことができて、釣竿の操作性が大幅に向上する。そのため、仕掛けを常に動かし続けるエギングやジギングなどの釣りに対応することができるとともに、スピニングリールを使用して、より正確な動操作や微妙な釣竿の操作が求められる釣りに適応することができる。
【００１７】
また、釣竿を支持する際の手首や腕への負担が軽減されるため、長時間安定して釣竿を保持することが可能であり、釣りそのものを楽に楽しむことができる。また、女性や子供等の非力な人であってもしっかり力を入れて釣竿を操作することができる。
【図面の簡単な説明】
【００１８】
【図１】本発明にかかるスピニングリール用リールシートの正面図。
【図２】本発明にかかるスピニングリール用リールシートの斜視図。
【図３】釣竿に装着した状態の正面図。
【図４】釣竿に装着した状態の斜視図。
【図５】釣竿に装着した状態の要部断面図。
【図６】スピニングリールを装着した状態の正面図。
【図７】スピニングリールを装着した状態の使用説明図。
【発明を実施するための形態】
【００１９】
以下図面に基づいて本発明にかかるスピニングリール用リールシートの実施形態を説明する。図１は本発明にかかるスピニングリール用リールシートを示す正面図、図２はその斜視図、図３は釣竿に装着した状態の正面図、図４は釣竿に装着した状態の斜視図、図５は釣竿に装着した状態の要部断面図である。
【００２０】
図において、１は本発明にかかるスピニングリール用リールシートである。２は中空円筒体状のリールシート本体であり、その先端部近傍のスピニングリールの取付側（図示例では下面）にトリガー３が突設されている。トリガー３は先端側に凹状の湾曲部３ａを有する引金状の突起であり、人差指や中指の腹部を湾曲部３ａに係止するのに適した形状・寸法を有している。即ち、トリガー３は前方に湾曲形成されている。また、トリガー３の基部には、スピニングリールの脚部を挿入して支持することのできる挿入溝４が穿設されている。なお、図示例では、リールシート本体２とトリガー３は一体形成しているが、別体に形成して両者を固定するようにしてもよい。
【００２１】
リールシート本体２の外周後端部には下面を除いてリング状の鍔部２ａが突設されており、トリガー３及びトリガー３より後方の下面及び鍔部２ａを除くリールシート本体２の外周面に滑り止め用のグリップ材５を巻装する。このグリップ材５は釣人が釣竿６を把持する際の滑り止めとしての機能を有している。グリップ材５の素材としては特に限定はないが、通常ポリエチレンよりも弾性が高いＥＶＡ樹脂（エチレンと酢酸ビニルとの共重合樹脂）を用いるのが適当である。
【００２２】
リールシート本体２には長手方向に中空孔２ｂが、又グリップ材５の先端部にも中空孔２ｂと連通する中空孔５ａが貫通形成されており、この中空孔２ｂ，５ａに釣竿６の竿元の把持部を挿通して密接させて、グリップ材５を巻装したリールシート本体２を釣竿６に装着する。７は中空筒状体からなるパイプシートであって、長手方向の内部に貫通形成された中空孔に釣竿６を密接して挿通させ、リールシート本体２の後端面に当接させる。パイプシート７の外周面には螺子溝７ａが刻設されている。
【００２３】
８はフードナットであって、パイプシート７の外周面に摺動自在に挿通されており、前記挿入溝４と対面する凹部８ａが下面に形成されている。このフードナット８は、パイプシート７の外周面に刻設された螺子溝７ａとは螺合しておらず、パイプシート７の外周面上を自由に摺動して移動することが可能である。
【００２４】
９は中空円筒状の操作環であり、内周面に螺子山９ａが刻設されており、この螺子山９ａがパイプシート７の外周面に刻設された螺子溝７ａに螺合することにより、フードナット８の後端面に対面してパイプシート７の外周面に移動可能に装着されている。１０は操作環９の外周面に巻装された滑り止め用のグリップ材である。このグリップ材１０は操作環９を回動操作する際の滑り止めとしての機能を有している。グリップ材１０の素材としては特に限定はないが、グリップ材５と同様に通常ポリエチレンよりも弾性が高いＥＶＡ樹脂（エチレンと酢酸ビニルとの共重合樹脂）を用いるのが適当である。
【００２５】
よって、グリップ材１０を巻装した操作環９を回動操作することにより、操作環９の先端面がフードナット８の後端面に当接して、フードナット８をリールシート本体２方向に摺動移動させ、その位置を保持する。これらのリールシート本体２，トリガー３，パイプシート７，フードナット８，挿入溝４及び凹部８ａからスピニングリール用リールシート１が構成されている。
【００２６】
次に、このスピニングリール用リールシート１を使用してスピニングリールＳを装着する方法を説明する。図６はスピニングリールＳを装着した状態の正面図であり、脚部１１に直交して左右方向に延設された取付具１２の先端部１２ａをトリガー３の基部に穿設形成された挿入溝４の先端部まで押動させて挿入するとともに、取付具１２の後端部１２ｂをフードナット８の凹部８ａに挿入する。この状態で操作環９を回動操作させてフードナット８を摺動させることにより、パイプシート７の外周上を移動させて、取付具１２の先端部１２ａ及び後端部１２ｂを挿入溝４と凹部８ａとの間に挟持して固定してスピニングリールＳの装着が完了する。図６において、１３は釣糸を巻回したスプール、１４はスプールの周りを回転動作するベール、１５はベール１４を連結して回転するロータ、１６はロータ１５を回転操作するハンドルである。これらのスピニングリールの構造は従来のものである。
【００２７】
図６に示すように、スピニングリールＳを装着した状態で、トリガー３は脚部１１の装着箇所、即ち挿入溝４より前方であって、かつ、スピニングリールＳの取付側のベール１４が接触しない位置に突設されている。使用に際しては、図７に示すように親指２１の腹をグリップ材５上面に押しつけるようにして手のひらでスピニングリール用リールシート１を包み込むようにして握り、人差指２２の腹をトリガー３の湾曲部３ａに引っ掛け、中指２３と薬指２４との間或いは薬指２４と小指２５の間にスピニングリールＳの脚部１１を挟み込んで釣竿６を握る。
【００２８】
このように、トリガー３と脚部１１の２箇所にてスピニングリールＳを装着した釣竿６の把持部を握った状態で、スピニングリールＳを装備した釣竿６を操作する。特にスピニングリールＳの前方においてトリガー３に人差指の腹を掛けて操作することができるので、釣竿６を支持する際の手首や腕への負担を軽減して長時間安定して釣竿６を保持できるとともに、操作時の力が入れやすく、大きなアクションで長時間楽に使用することができる。よって、スピニングリールＳを使用した釣りの可能性を高めることができる。
【産業上の利用可能性】
【００２９】
上記構成の本発明によれば、スピニングリールの操作時において、スピニングリールの脚部とトリガーの２箇所に釣人が指を掛けて、釣竿を操作することができる。特にスピニングリールの前方においてトリガーに指を掛けることで、しっかりと釣竿を保持することができ、釣竿の操作に力を入れやすく最適なアクションを実現することができる。よって、魚をヒットした場合等における釣竿の揺動操作を正確、かつ、容易に行うことができて、釣竿の操作性が大幅に向上する。そのため、仕掛けを常に動かし続けるエギングやジギングなどの釣りに対応することができるとともに、スピニングリールを使用して、より正確な動操作や微妙な釣竿の操作が求められる釣りに適応することができる。
【００３０】
また、釣竿を支持する際の手首や腕への負担が軽減されるため、長時間安定して釣竿を保持することが可能であり、釣りそのものを楽に楽しむことができる。また、女性や子供等の非力な人であってもしっかり力を入れて釣竿を操作することができる。
【符号の説明】
【００３１】
１…スピニングリール用リールシート
２…リールシート本体
２ａ…鍔部
２ｂ，５ａ…中空孔
３…トリガー
３ａ…湾曲部
４…挿入溝
５，１０…グリップ材
６…釣竿
７…パイプシート
７ａ…螺子溝
８…フードナット
８ａ…凹部
９…操作環
９ａ…螺子山
１１…脚部
１２…取付具
１２ａ…先端部
１２ｂ…後端部
１３…スプール
１４…ベール
１５…ロータ
１６…ハンドル
２１…親指
２２…人差指
２３…中指
２４…薬指
２５…小指
Ｓ…スピニングリール
【図１】
0005337131.tif 000002
【図２】
0005337131.tif 000003
【図３】
0005337131.tif 000004
【図４】
0005337131.tif 000005
【図５】
0005337131.tif 000006
【図６】
0005337131.tif 000007
【図７】
0005337131.tif 000008